(57)【要約】【課題】両面粘着テープの持つ利点を生かしながら、低コストでかつ少ない作業量で床材を床下地に位置決めしながら直貼りする。【解決手段】矩形の床材１を床下地２０に直貼りしてフローリングとするときの施工方法であって、床材１の短辺に平行に両面粘着テープ１０を貼り合わせた床材を施工現場に搬入する。施工現場において、両面粘着テープ１０の粘着剤層１１に貼られている離型紙１２を剥がすとともに、床材１の裏面に接着剤１３を塗布する。それを床下地２０の上に置いて滑らせながら所定位置への位置決めを行い、位置決め後に床材１を上から床下地２０に押し付けて両面粘着テープ１０の粘着剤１１が持つ粘着力により床材１を床下地２０に仮固定する。その後、裏面に塗布した接着剤１３の硬化により、床材１の本固定がなされる。【選択図】図３
2008081947.tif 000002
【特許請求の範囲】
【請求項１】
矩形の床材を床下地に直貼りしてフローリングとするときの施工方法であって、裏面の一部に両面粘着テープを貼り合わせた床材を施工現場に搬入し、施工現場において、両面粘着テープの粘着剤層に貼られている離型紙を剥がすとともに、床材の裏面に接着剤を塗布し、それを床下地の上に置いて滑らせながら所定位置への位置決めを行い、位置決め後に床材を上から床下地に押し付けて両面粘着テープの粘着剤が持つ粘着力により床材を床下地に仮固定することを、複数の床材について順次行っていくことを特徴とするフローリングの施工方法。
【請求項２】
両面粘着テープとしてアクリル系粘着剤である粘着剤層を持つ両面粘着テープを用いることを特徴とする請求項１に記載のフローリングの施工方法。
【請求項３】
床材として裏面に緩衝材を有する床材を用いることを特徴とする請求項１または２に記載のフローリングの施工方法。
【発明の詳細な説明】
【技術分野】
【０００１】
本発明はフローリングの施工方法に関し、特に、矩形の床材を床下地に直貼りしてフローリングとするときの施工方法に関する。
【背景技術】
【０００２】
３００ｍｍ×１８００ｍｍのような矩形床材の多数枚を、床下地に接着剤を用いて順次直貼りしてフローリングとすることは知られている。通常、接着剤にはエポキシ系樹脂や架橋型酢酸ビニル系樹脂等の接着剤が用いられ、床下地面あるいは床材裏面に接着剤を塗布した後、床下地の上に床材が置かれる。接着剤が硬化する前、すなわち、十分な接着力が出る前に、床材を床下地の上で滑らせながら所定位置への位置決めを行い、床材４周に形成した実部分を利用して釘打ちを行いその位置に仮固定し、接着剤が硬化するのを待つ。釘打ちによる仮固定を省略すると、接着剤が硬化する前に、位置ずれを起こすので好ましくない。
【０００３】
接着力が強くかつ早期に硬化する溶剤型接着剤を用いる場合には、釘打ち等の仮止め作業を省略できる場合があるが、有害物質が揮発する恐れがあるとともに、精緻に位置決めすることが困難となる。
【０００４】
接着剤を用いずに、両面粘着テープを用いて床材を床下地に固定していくフローリングの施工方法が提案されている（特許文献１，２等参照）。両面粘着テープには、発泡ポリエチレン等のテープ基材の両面にアクリル系粘着剤からなる粘着剤層を設けたもの等が好適に用いられる。
【０００５】
【特許文献１】特開平１１−１４１１０８号公報
【特許文献２】特開２０００−１２９８９３号公報
【発明の開示】
【発明が解決しようとする課題】
【０００６】
両面粘着テープを用いて床材を床下地に固定していくフローリングの施工方法では、離型紙を剥がした状態の床材を床下地面の上で滑らせることができるので、床材の位置決めが容易であり、位置決め後に上から押し付けることで、両面粘着テープの粘着力により所要位置に床材を固定することができる利点がある。しかし、両面粘着テープの持つ粘着力のみで、床材を床下地面に本固定するのに必要な接着力を得るには、床材裏面の相当多くの面積に両面粘着テープを貼り付けておく必要があり、コストの高騰を招くとともに、施工現場で離型紙を剥がす作業、剥がした離型紙を廃棄処理する作業等に多くの労力を必要とする。
【０００７】
本発明は、上記の事情に鑑みてなされたものであり、両面粘着テープの持つ利点を生かしながら、低コストでかつ少ない作業量で床材を床下地に直貼りして行くことのできる、改良されたフローリングの施工方法を提供することを目的とする。
【課題を解決するための手段】
【０００８】
本発明は、矩形の床材を床下地に直貼りしてフローリングとするときの施工方法であって、裏面の一部に両面粘着テープを貼り合わせた床材を施工現場に搬入し、施工現場において、両面粘着テープの粘着剤層に貼られている離型紙を剥がすとともに、床材の裏面に接着剤を塗布し、それを床下地の上に置いて滑らせながら所定位置への位置決めを行い、位置決め後に床材を上から床下地に押し付けて両面粘着テープの粘着剤が持つ粘着力により床材を床下地に仮固定することを、複数の床材について順次行っていくことを特徴とする。
【０００９】
上記の施工方法では、床材の床下地への仮固定は両面粘着テープの持つ粘着力で行い、本固定は床材裏面に塗布した接着剤で行うようにしている。そのために、裏面の一部に貼り付ける両面粘着テープの面積は仮固定に必要な面積であればよく、その使用量はごく僅かで済む。そのために両面粘着テープに係るコストが低減するとともに、離型紙を剥がす作業や剥がした離型紙を廃棄処分する作業も少なくなり、作業の効率化が図られる。
【００１０】
両面粘着テープから離型紙を剥がした状態では、床材は床下地上を滑ることができるので、床材の位置決めは確実に行うことができる。位置決め後、上から押し付けることで、両面粘着テープの持つ粘着力が有効に発揮し、床材は床下地に仮固定された状態となる。その状態で、同様にして、次の床材の床下地への配置、位置決め、および仮固定を、順次行っていく。床材は順次仮固定されていくので、施工の途中で位置ずれが生じることはない。すべての床材を仮固定状態として、床材の裏面に塗布した接着剤の硬化を待つ。それにより、所望のフローリング施工が終了する。
【００１１】
前記したように、裏面に貼り付ける両面粘着テープの面積は仮固定に必要な粘着力が得られる面積であればよく、その貼り付け位置や面積に特に制限はないが、より少ない粘着力で効果的な仮固定力が得られることから、矩形床材の短辺方向に平行に貼り付けることは有効であり、長辺方向の両端近傍の２箇所において、短辺方向に平行に貼り付けることは特に有効である。
【００１２】
使用する両面粘着テープは従来知られたものでよく、例えば、発泡ポリエチレンのテープ基材の両面にアクリル系粘着剤である粘着剤層を持つものが挙げられる。テープ基材としては、他に、発泡ポリウレタン系テープ基材、発泡ポリプロピレン系テープ基材等が挙げられる。
【００１３】
使用する矩形の床材も、従来知られたものをそのまま用いることができる。例えば、基材としての合板や木質繊維板の表面側に突き板のような適宜の表面化粧材を積層したものが挙げられる。基材の裏面側に床下地の不陸に対応するための多数の凹溝を形成したものであってもよい。基材の裏面に緩衝材を積層して遮音性能を向上させた床材であってもよい。この形態の床材では、積層した緩衝材の裏面の適所に両面粘着テープが貼り合わされる。
【発明の効果】
【００１４】
本発明によれば、両面粘着テープの持つ利点を生かしながら、低コストでかつ少ない作業量で床材を床下地に位置決めしながら直貼りして行くことができる。
【発明を実施するための最良の形態】
【００１５】
以下、図面を参照しながら本発明を実施の形態に基づき説明する。図１は本発明によるフローリングの施工方法で用いる矩形床材の一例の裏面図、図２はその側面図であり、図３は床材から離型紙を除去する状態を示している。図４ａ，ｂは、床材を床下地に貼り付けるときの作業手順を示している。
【００１６】
図示の例において、床材１は矩形状であり、全長は約１８００ｍｍ程度、幅は約３００ｍｍ程度、厚さは約１２ｍｍ程度である。床材１は木質部分２と緩衝材３とで構成され、この例で、木質部分２は厚さ約９ｍｍ程度の合板であるが、ＭＤＦ等の木質繊維板であってもよい。木質部分２の表面側には突き板のような表面化粧材４が積層され、裏面側に厚さ約３ｍｍ程度の緩衝材３が積層されている。緩衝材３には軟質発泡オレフィン系シートや合成樹脂系不織布シートのような材料が用いられる。木質部分２の周囲には実加工５が施されている。
【００１７】
床材１の長手方向両端部近傍には、短辺６，６に平行に両面粘着テープ１０が貼り合わされている。両面粘着テープ１０は、幅が１０〜３０ｍｍ程度のものであり、例えばテープ基材である発泡ポリウレタンシートの両面にアリクル系粘着剤による粘着剤層１１が形成されている。一方の粘着剤層は床材１（木質部分２）の裏面に積層された緩衝材３の裏面に粘着しており、他方の粘着剤層１１には離型紙１２が貼り付けられている。
【００１８】
この状態の床材１が施工現場に搬入される。フローリング施工を行う作業者は、図３に示すように、床材１から、両面粘着テープ１０の粘着剤層１１に貼り付けられている離型紙１２を除去するとともに、床材１の裏面（この場合には、緩衝材３の裏面）にエポキシ系樹脂接着剤やゴムラテックス系樹脂接着剤のような接着剤１３を塗布する。接着剤１３の塗布は、両面粘着テープ１０の場所を除いた床材裏面の全部に行ってもよく、必要な接着力が得られる場合には、裏面の一部にのみ行ってもよい。
【００１９】
離型紙１２を除去し、裏面に接着剤１３を塗布した床材１を作業者は床下地２０の上の適所に置く。床材１を単に置いた状態では両面粘着テープ１０の粘着剤層１１は粘着力を発揮せず、また、置いた時点では接着剤１３は未硬化であり、床材１は床下地２０の上で滑りながら移動することができる。それで、作業者は、図４ａに示すように床材１を床下地２０の上で滑らせながら移動させ、図４ｂに示すように既に固定してある床材１ａとの間で正確に実接合した位置に、床材１を位置決めする。
【００２０】
位置決め後に、作業者は上から床材１を床下地２０に向けて押し付ける。その押し付けにより、両面粘着テープ１０の粘着剤層１１は床下地２０に対して粘着力を発揮するようになり、床材１はその位置に仮固定される。以下、他の床材１に対しても、同じように作業を行う。前に配置した床材１は、両面粘着テープ１０の粘着剤層１１の粘着力により仮固定されているので、後からの床材を仮固定していく過程で、前に配置した床材１，１ａに位置ずれが生じることはない。すべての床材１を仮固定した後、所要時間放置することにより、床材１の裏面に塗布した接着剤１３の硬化が進行し、床材１は床下地に本固定される。
【００２１】
上記のように、本発明によるフローリングの施工方法では、床材１の裏面に貼り合わせる両面粘着テープ１０は床材の仮固定のみの目的で使用されるものであり、その使用量はごく僅かで済む。そのために両面粘着テープ１０に係るコストが低減するとともに、離型紙１２を剥がす作業や剥がした離型紙１２を廃棄処分する作業も少なくなり、作業の効率化が図られる。床材１の床下地２０への本固定は、床材１の裏面に塗布した接着剤１３の接着力によっており、強固な本固定が得られる。また、塗布した接着剤１３が硬化するまでにある程度の時間があるので、床材１の床下地上での位置決めも容易かつ確実に行うことができる。
【００２２】
なお、本発明において、対象となる床下地の仕様は任意であり、コンクリートスラブの上に１２ｍｍ厚程度の合板を貼り付けたもの、根太組みの上にパーチクルボードを配置したもの、モルタル下地で仕上げたもの、等を例として挙げることができる。
【図面の簡単な説明】
【００２３】
【図１】本発明によるフローリングの施工方法で用いる矩形床材の一例の裏面図。
【図２】図１に示す床材の側面図。
【図３】床材から離型紙を除去する状態を示す図。
【図４】図４ａ，ｂは、床材を床下地に貼り付けるときの作業手順を示す図。
【符号の説明】
【００２４】
１…床材、２…木質部分、３…緩衝材、４…表面化粧材、５…実加工部、６…床材の短辺、１０…両面粘着テープ、１１…粘着剤層、１２…離型紙、１３…接着剤、２０…床下地
【図１】
2008081947.tif 000003
【図２】
2008081947.tif 000004
【図３】
2008081947.tif 000005
【図４】
2008081947.tif 000006